【事件の表示】
　特願２０１４−１６８２０７「信号処理装置および方法、並びに、プログラム」拒絶査定不服審判事件〔平成２８年　４月　４日出願公開、特開２０１６−　４６６１８〕について、次のとおり審決する。
【結　論】
　本件審判の請求は、成り立たない。
【理　由】
第１　手続の経緯
　本願は、平成２６年８月２１日の出願であって、その手続の経緯は以下のとおりである。
　平成３０年　６月２１日付け：拒絶理由通知書
　平成３０年　８月１５日　　：意見書、手続補正書の提出
　平成３１年　１月２８日付け：拒絶査定
　令和　元年　５月　７日　　：拒絶査定不服審判の審判請求書、手続補正　　　　　　　　　　　　　　　書の提出
第２　令和元年５月７日にされた手続補正についての補正の却下の決定
［補正の却下の決定の結論］
　令和元年５月７日にされた手続補正（以下、「本件補正」という。）を却下する。
［理由］
１　本件補正について（補正の内容）
（１）本件補正後の特許請求の範囲の記載
　本件補正により、特許請求の範囲の請求項１の記載は、次のとおり補正された。（下線部は、補正箇所である。）
「【請求項１】
　
受信側
第１のデータ内において
　
擬似乱数を生成する擬似乱数生成部と、
　
前記擬似乱数と前記第１のデータより擬似乱数列を生成し、前記擬似乱数列
　前記変調部により位相変調された前記キャリア信号である送信信号を送信する送信部と
　を備える信号処理装置。」
（２）本件補正前の特許請求の範囲
　本件補正前の、平成３０年８月１５日にされた手続補正により補正された特許請求の範囲の請求項１の記載は次のとおりである。
「【請求項１】
　送信データの受信側にとって既知の部分と未知の部分とをそれぞれ複数に分割し、分割された前記既知の部分の各部分データと前記未知の部分の各部分データとを、前記既知の部分の前記部分データが前記送信データ内により均一に分散するように並び替える並び替え部と、
　前記並び替え部により並び替えられた前記送信データを用いて、キャリア信号を位相変調する変調部と、
　前記変調部により位相変調された前記キャリア信号である送信信号を送信する送信部と
　を備える信号処理装置。」
２　補正の適否
　特許請求の範囲の請求項１についての本件補正のうち、「前記並び替え部により並び替えられた前記送信データ」を「擬似乱数を生成する擬似乱数生成部と、前記擬似乱数と前記第１のデータより擬似乱数列を生成し、前記擬似乱数列」とする補正事項は、本件補正前の請求項１に記載された発明を特定するために必要な事項である「キャリア信号を位相変調する変調部」で用いられる「送信データ」を、「（擬似乱数生成部で生成した）擬似乱数」と「第１のデータ」より生成した「擬似乱数列」に限定するものである。
　また、特許請求の範囲の請求項１についての本件補正のうち、「送信データの受信側」を「受信側」とする補正事項及び、「前記送信データ内に」を「第１のデータ内において」とする補正事項は、共に、上記「送信データ」を限定する補正事項に伴い、整合性をとるために必要となった補正事項である。
　そして、補正前の請求項１に記載された発明と補正後の請求項１に記載される発明（以下、「本件補正発明」という。）の産業上の利用分野及び解決しようとする課題が同一であるから、前記各補正事項を含む特許請求の範囲の請求項１についての本件補正は、特許法第１７条の２第５項第２号の特許請求の範囲の減縮を目的とするものに該当する。
　そこで、本件補正発明が同条第６項において準用する同法第１２６条第７項の規定に適合するか（特許出願の際独立して特許を受けることができるものであるか）について、以下、検討する。
（１）本件補正発明
　
　本件補正発明は、上記「１（１）」に記載したとおりのものである。
（２）引用文献１について
　平成３１年１月２８日付け拒絶査定の拒絶の理由に引用された、本願出願日前に日本国内又は外国において、頒布された又は電気通信回線を通じて公衆に利用可能となった引用文献である米国特許出願公開第２００２／００６４１８２号明細書（２００２年５月３０日公開。以下、「引用文献１」という。）には、以下の事項が記載されている。（なお、下線は当審にて付与した。）
ア　「[0001] The present invention relates to communications systems and in particular to a scheme for digital encoding of signals in a wireless system.」
（仮訳：[０００１]　本発明は、通信システムに関し、特に、無線システムにおける信号のデジタル符号化の機構に関するものである。）
イ　「[0004] Consider the Code Division Multiple Access (CDMA) and Time Division Multiple Access (TDMA) digital systems presently in widespread use. Each of these systems provide for certain logical types of the radio channels that make up the forward link and reverse link. In particular, the forward link channels often include a pilot channel, paging channels, and multiple forward traffic channels. The traffic channels are used to carry the payload data between the base station and the mobile unit. A pilot channel is also typically required to allow the remote unit to maintain synchronization with the base station. ・・・（省略）・・・」
（仮訳：[０００４]　現在広く使われている符号分割多元接続（ＣＤＭＡ）及び時分割多元接続（ＴＤＭＡ）方式について検討する。これらのシステムは、順方向リンク及び逆方向リンクを構成する無線チャネルの特定の論理形式を提供する。特に、順方向リンクチャネルは、しばしば、パイロットチャネル、ページングチャネル、及び多数の順方向トラフィックチャネルを含む。トラフィックチャネルは、基地局と移動ユニットとの間でペイロード・データを伝えるために使用される。また、パイロットチャネルは、一般に遠隔ユニットが基地局との同期を維持することを可能にするために必要である。・・・（省略）・・・）
ウ　「[0011] An alternative to allocating individual pilot channels is to make use of a sequence of pilot symbols. The pilot symbols are interleaved with data symbols on the traffic channel. This technique is generally referred to as pilot symbol assisted modulation. In such a system, the transmitter encodes the data to be sent on the traffic channel as a series of symbols. A pilot symbol interleaver then inserts a sequence of predetermined pilot symbols within the data symbol sequence. The pilot symbol augmented sequence is then modulated and transmitted over the radio channel. At the receiving station, a decimater or deinterleaver and filter separate the pilot symbols from the data symbols.」
（仮訳：[００１１]　個別のパイロットチャネルを割り当てることの代替として、パイロットシンボル列の利用がある。パイロットシンボルは、トラフィックチャネル上でデータシンボルとインターリーブされる。この技術は、一般的に、パイロットシンボル支援変調と呼ばれる。このようなシステムにおいて、送信機は、シンボル列として伝送チャネル上で送信されるようにデータを符号化する。パイロットシンボルインタリーバは、データシンボル列内に、事前に定められたパイロットシンボル列を挿入する。パイロットが追加されたシンボル列は、変調されて無線チャネルを介して送信される。受信局において、デシメータ又はデインターリーバ及びフィルタがデータシンボルからパイロットシンボルを分離する。）
エ　「[0025] FIG. 1 is a block diagram of a communication system 10 that interleaves pilot symbols with data symbols and uses a systematic block coder to ensure that the pilot symbols are located in predetermined locations. In the following description of a preferred embodiment, the communication system 10 is described such that the shared channel resource is a wireless or radio channel. ・・・（省略）・・・」
（仮訳：[００２５]　図１は、パイロットシンボルをデータシンボルとインターリーブし、組織的ブロック符号器を使用してパイロットシンボルが所定の位置に確実に配置される通信システム１０のブロック図である。以下の好ましい実施形態の説明では、通信システム１０は、共有チャネルリソースが無線又はラジオチャネルであるとして説明されている。・・・（省略）・・・）
オ　「[0026] 
The communication system 10 includes a number of Personal Computer (PC) devices 12-1, 12-2, . . . 12-h, . . . 12-1, corresponding Subscriber Access Units (SAUs) 14-1, 14-2, . . . 14-h, . . . 14-1, and associated antennas 16-1, 16-2, . . . 16-h, . . . 16-1. Centrally located equipment includes a base station antenna 18, and a Base Station Processor (BSP) 20.
The system 10
transmit data to and receive data from network server 30 through bi-directional wireless connections implemented over forward links 40 and reverse links 50.
（仮訳：[００２６]　
通信システム１０は、多数のパーソナルコンピュータ（ＰＣ）機器１２−１、１２−２、・・・１２−ｈ、１２−ｌ、対応する加入者アクセスユニット（ＳＡＵｓ）１４−１、１４−２、・・・１４−ｈ、・・・１４−ｌ及び、関連するアンテナ１６−１、１６−２、・・・１６−ｈ、・・・１６−ｌを含む。中央に位置する装置は、基地局アンテナ１８、および基地局プロセッサ（ＢＳＰ）２０を含む。
システム１０は、順方向リンク４０及び逆方向リンク５０により実施される双方向無線接続を介して
データの送受信を行う
カ　「[0031] 
The reverse link 50 actually consists of a number of different types of logical and/or physical radio channels
traffic channels 52 then carry payload data from the SAU 14 to the BSP 20.
（仮訳：[００３１]　
逆方向リンク５０は、実際には、種々の異なるタイプの論理及び／又は物理無線チャネルにより構成されており、
トラフィックチャネル５２はペイロードデータをＳＡＵ１４からＢＳＰ２０に伝える。
キ　「[0033] 
In the preferred embodiment, the logical channels 41 - 43 and 51 - 53 are defined by assigning each channel a unique pseudorandom channel (PN) code. The system 10 is therefore a so-called Code Division Multiple Access (CDMA) system in which channels assigned to unique codes may use the same radio carrier frequency.
（仮訳：[００３３]　
好ましい実施形態では、論理チャネル４１−４３と５１−５３は、各チャネルに固有の疑似乱数チャネル（ＰＮ）コードを割り当てることによって定義される。システム１０は、したがって、固有のコードが割り当てられた複数のチャネルが同じ無線キャリア周波数を使用できる、いわゆる符号分割多元接続（ＣＤＭＡ）である。
ク　「[0034] Turning attention now to FIG. 2 there is shown a generalized block diagram of the encoding process at the transmit side and decoding process at the receive side according to the invention. It should be understood that the invention is implemented on the reverse link 50, so that 
the transmitter 100 may typically be one of the SAUs 14
（仮訳：[００３４]　今度は、本発明による送信側での符号プロセスと受信側で復号プロセスの一般化されたブロック図が示されている図２に着目する。本発明は逆方向リンク５０上で実施されるものであり、
送信機１００は典型的にはＳＡＵｓ１４の１つであり
ケ　「[0035] In any event, 
a transmitter 100 is implemented with a pilot inserter 110, block encoder 120, pilot interleaver 130, channel coder 140 and radio frequency (RF) modulator 150.
（仮訳：[００３５]　いずれにしても、
送信機１００は、パイロット挿入器１１０、ブロック符号器１２０、パイロットインターリーバ１３０、チャネル符号器１４０及び無線周波数（ＲＦ）変調器１５０で実装される。
コ　「[0037] Before discussing the details of the pilot inserter 110 and block encoder 120 in more detail, it is instructed to consider the operation of a typical error coding process. In particular, consider an example situation in the use of a turbo product code which is to encode data at the rate of 1/4. (We assume in the discussion of this first embodiment that data is real-valued only such that a “symbol” is a single data bit, and discuss a situation with complex-valued data symbols later on.) In the case shown in FIG. 3 A, the input data bits data1, data2 . . . data16 may thought of as being placed in the upper left hand corner of a matrix encoding space. ・・・（省略）・・・
[0038] For a typical prior art block coding operation, that is one without supplementation with pilot symbols according to the invention, the 16 input data bits are placed an upper left hand corner of the 8x8 encoded space as shown in FIG. 3A. 
[0039] The encoded matrix is then presented to the block encoder to calculate and create the parity bits for an encoded space. In the example being discussed, in the case of a 1/4 rate code, three times as many parity bits as data bits are calculated and created as shown in FIG. 3B. ・・・（省略）・・・」（当審注：[0037]の“may thought of as”は“may be thought of as”の誤記と認める。）
（仮訳：[００３７]　パイロット挿入器１１０とブロック符号器１２０の詳細について説明する前に、典型的な誤り符号化処理について検討するよう指示される。特に、実例として、符号化率が１／４のターボ積符号を使用する状態を考慮する。（この第１実施例の議論では、データは“シンボル”が単一データビットであるような実数値のみであると想定し、複素数データシンボルについては後で扱う。）図３Ａの例では、入力データビットdata1、data2．．．data16は行列符号空間の左上の角に配置されると考えられる。・・・（省略）・・・
[００３８]　典型的な従来技術のブロック符号器の動作、すなわち本発明によるパイロットシンボルの付加を含まない動作において、１６入力データビットが図３Ａに示すように８×８符号化空間の左上角に配置される。
[００３９]　それから、符号化行列はブロック符号器に渡されて、ブロック符号器は符号化空間のためのパリティビットを計算し生成する。議論されている例において、すなわち符号化率が１／４の場合、図３Ｂに示すように、データビットの３倍のパリティビットが計算され、生成される。・・・（省略）・・・）
サ　「[0040] Returning attention to FIG. 2, the pilot inserter 110 and block encoder 120 can now be understood more particularly. In the pilot insertion scheme employed by the pilot inserter 110, some of the input data symbols are replaced with pilot symbols. ・・・（省略）・・・」
（仮訳：[００４０]　図２に再注目すると、パイロット挿入器１１０とブロック符号器１２０が今はより深く理解されよう。パイロット挿入器１１０で用いられるパイロット挿入機構において、いくつかの入力データシンボルはパイロットシンボルに置き換えられる。・・・（省略）・・・）
シ　「[0041] Turning attention to FIG. 3C, we see that in considering a group of 16 data symbols, 4 of the symbols will be replaced with pilot symbols such that the input matrix becomes as shown. Thus a pilot symbol, pilot1, is followed by three data symbols, data1, data2, data3. The next pilot symbol, pilot2, is followed by data symbols data4, data5, data6 and so on. 
[0042] As in the case of the standard turbo product code, the matrix in FIG. 3C is then presented to the block encoder 120 to create the encoded space shown in FIG. 3D. ・・・（省略）・・・」
（仮訳：[００４１]　図３Ｃを参照すると、一群の１６データシンボルについて考えた場合、４つのシンボルがパイロットシンボルで置き換えられて入力行列が図示のようになることがわかる。したがって、パイロットシンボル pilot1の後に３つのデータシンボルdata1、data2、data3が続く。次のパイロットシンボルpilot2の後には データシンボルdata4、data5、data6が続き、以下同様である。
[００４２]　標準のターボ積符号では、図３Ｃの行列がブロック符号器１２０に渡されて図３Ｄに示される符号化空間が作成される。・・・（省略）・・・）
ス　「[0043] 
It is the job of the pilot interleaver 130 to rearrange the output matrix in such a manner that the pilot symbols are evenly distributed among the data and parity symbols in a manner which makes sense.
（仮訳：[００４３]　
パイロットインターリーバ１３０の役割は、合理的な方法で、データシンボル及びパリティシンボルの間にパイロットシンボルが均等に分配されるように出力行列を再配置することである。
セ　「[0045] 
In yet another example of the implementation of the interleaver 130, it may be advantageous to apply data to the channel with Quadrature Phase Shift Keyed (QPSK) format modulation.
（仮訳：[００４５]　
インターリーバ１３０のさらに別の実施例は、四位相偏移変調（ＱＰＳＫ）を用いるチャネルにデータを適用するのに有利かもしれない。
ソ　FIG.1　(仮訳：図１)
タ　FIG.2　(仮訳：図２)
チ　FIG.3A　(仮訳：図３Ａ)
ツ　FIG.3B　(仮訳：図３Ｂ)
テ　FIG.3C　(仮訳：図３Ｃ)
ト　FIG.3D　(仮訳：図３Ｄ)
ナ　FIG.4A　(仮訳：図４Ａ)
ニ　FIG.4D　(仮訳：図４Ｄ)
ヌ　上記「ア」から「ニ」の記載事項から、引用文献１には以下の発明が記載されている。（以下、「引用発明」という。）
「多数のパーソナルコンピュータ（ＰＣ）機器１２−１、１２−２、・・・１２−ｈ、１２−ｌ、送信機１００であるところの対応する加入者アクセスユニット（ＳＡＵｓ）１４−１、１４−２、・・・１４−ｈ、・・・１４−ｌ及び、関連するアンテナ１６−１、１６−２、・・・１６−ｈ、・・・１６−ｌを含む複数の装置と基地局アンテナ１８および基地局プロセッサ（ＢＳＰ）２０を含む中央に位置する装置とが、順方向リンク４０及び逆方向リンク５０により実施される双方向無線接続を介してデータの送受信を行う通信システム１０における送信機１００であって、（［００２６］、［００３４］）
　前記逆方向リンク５０は、アクセスチャネル５１、複数のトラフィックチャネル５２−１．．．５２−ｔ及びメンテナンスチャネル５３を含む種々の異なるタイプの論理及び／又は物理無線チャネルにより構成されており、前記トラフィックチャネル５２はペイロードデータをＳＡＵ１４からＢＳＰ２０に伝え、（［００３１］）
　前記通信システム１０は、各チャネルに固有の疑似乱数チャネル（ＰＮ）コードが割り当てられた複数のチャネルが同じ無線キャリア周波数を使用できる、いわゆる符号分割多元接続（ＣＤＭＡ）であり、（［００３３］）
　前記送信機１００は、パイロット挿入器１１０、ブロック符号器１２０、パイロットインターリーバ１３０、チャネル符号器１４０及び無線周波数（ＲＦ）変調器１５０で実装され、（［００３５］）
　前記パイロットインターリーバ１３０は、データシンボル及びパリティシンボルの間にパイロットシンボルが均等に分配されるように出力行列を再配置し、さらに、四位相偏移変調（ＱＰＳＫ）を用いるチャネルにデータを適用するのに有利である（［００４３］、［００４５］）
　送信機１００。」
（３）引用文献２、３について
ア　引用文献２について
　本願出願日前に日本国内又は外国において、頒布された又は電気通信回線を通じて公衆に利用可能となった引用文献である特表平６−５１１３７１号公報（以下、「引用文献２」という。）には、以下の事項が記載されている。（なお、下線は当審にて付与した。）
（ア）「本発明は、無線電話通信システムにおける
コード分割多重アクセス（ＣＤＭＡ）
（イ）「一般的な
ＣＤＭＡシステム
送信機ソースコーダ２０によって発生したディジタルビットストリームを、更に、送信機エラー訂正コーダ２２で処理して、
冗長度を追加する。
特定の拡散用コード発生器２４によって特定の拡散用コードを発生する。このコード発生器としては、前述した疑似乱数発生器が考えられる。選択した拡散用コードを、モジュロー２加算器２６内で、エラー訂正コーダ２２からのコード化情報信号と加算する。
　
この加算器２６から出力されたコード化信号を用して、高周波（ＲＦ）キャリア（搬送波）を変調する。この場合、例えばＱＰＳＫのような変調技術の中から適当な一つの技術を利用して、変調器２８内で変調する。この変調されたキャリアを、従来の無線送信器３０によって、空間インターフェイスを介して送信する。
イ　引用文献３について
　本願出願日前に日本国内又は外国において、頒布された又は電気通信回線を通じて公衆に利用可能となった引用文献である特表２００８−５３２３６０号公報（以下、「引用文献３」という。）には、以下の事項が記載されている。（なお、下線は当審にて付与した。）
（ア）「【背景技術】
【０００２】
　同時に動作する多くの送信器を有する通信システムにとって、送信電力を制御する良好な方法は重要であるが、それは、そのような方法が、そのような送信器の相互干渉を減少させるからである。例えば、送信電力制御は、干渉によって制限される通信システム、例えば、
広帯域符号分割多元接続（ＷＣＤＭＡ）
【０００３】
　典型的な
ＷＣＤＭＡシステムでは、送信されることになる情報データストリームは、疑似乱数コード生成器によって生成された、非常に高速のビットレートのデータストリームの上に重ね合わされる。情報信号および疑似乱数信号は、通常、情報信号の符号化もしくは拡散とも呼ばれるプロセスにおいて、乗算によって合成される。各情報信号には、一意の拡散符号が割当てられる。複数の符号化された情報信号が、無線周波数搬送波の変調として送信され、
ウ　引用文献２、３に示される周知技術について
　上記「ア（ア）」、「ア（イ）」及び「イ（ア）」の記載事項から、以下の周知技術が認められる。
「コード分割多重アクセス（ＣＤＭＡ）システムの送信機において、疑似乱数を出力する疑似乱数発生器を設け、当該疑似乱数発生器から出力される疑似乱数と送信データより生成された信号を用いて高周波（ＲＦ）キャリアを変調し、無線送信する。」との周知技術。
（４）対比
　本件補正発明と引用発明とを対比する。
ア　『受信側にとって既知の部分と未知の部分とをそれぞれ複数に分割し、
　　分割された前記既知の部分の各部分データと前記未知の部分の各部分  　　データとを、前記既知の部分の前記部分データが第１のデータ内にお  　　いてより均一に分散するように並び替える並び替え部』について
（ア−１）『受信側にとって既知の部分』について
　本願図５には本願発明の一実施形態である送信装置１００が示されており、本願図７は当該送信装置１００が送信する送信信号のフレーム構造を示したものである。この図７に関する説明として、本願発明の詳細な説明の段落【００８４】には『この同期パタンは、気象観測データTMに依存しない情報である。換言するに、この同期パタンの全ビット（１３オクテット）は、受信装置において既知である。このように受信側にとって「既知」の情報を同期パタン（SYNC）と称する。・・・』と記載されており、
「同期パタン」、すなわち送信装置１００と受信装置との同期を維持するための信号は、本件補正発明における『受信側にとって既知の部分』である
　一方、引用発明における
「パイロットシンボル」は
遠隔ユニットと基地局の同期を維持するために用いられるもの
　してみると、
引用発明における「パイロットシンボル」は本件補正発明でいう『受信側にとって既知の部分』に対応する
（アー２）『（受信側にとって）未知の部分』について
　本願図７は当該送信装置１００が送信する送信信号のフレーム構造を示したものであり、当該図７に関する説明として、本願発明の詳細な説明の段落【００８５】には、『これに対して、ペイロード（PAYLOAD）として伝送される気象観測データTMと、フレームチェックシーケンス（FCS）は、受信装置が予め推測することができない情報である。このように受信側にとって「知らない」情報をUND（UNknown Data）と称する。』と記載されており、『未知』と『知らない』が同義であることを踏まえると、
『ペイロード（PAYLOAD）として伝送される気象観測データTM』は、本件補正発明における『（受信側にとって）未知の部分』である
　一方、引用発明における
「データシンボル」は、
ペイロードデータとして送信されるものであるから、「基地局プロセッサ（ＢＳＰ）２０」が予め推測することができない情報である
　また、引用発明における
「パリティシンボル」は、
「データシンボル」に依存するものであるから、前記「データシンボル」と同様に、「基地局プロセッサ（ＢＳＰ）２０」が予め推測することができない情報である
　してみると、引用発明における
「データシンボル」と「パリティシンボル」は、本件補正発明でいう『（受信側にとって）未知の部分』に対応する
（ア−３）『（受信側にとって既知の部分と未知の部分とを）それぞれ複数
　　　　　に分割し』について
　上記「（２）ト」には、「パイロットインターリーバ１３０」で処理が行われる前のデータの構成として、４個の「パイロットシンボル」、１２個の「データシンボル」及び、４８個の「パリティシンボル」から構成されるデータが例示されている。
　上記「（ア−１）」で言及した様に、「パイロットシンボル」は、本件補正発明でいう『受信側にとって既知の部分』であって、引用発明においても４個に分割されており、同様に、そして、上記「（ア−２）」で言及した様に、「データシンボル」及び「パリティシンボル」は、本件補正発明でいう『（受信側にとって）未知の部分』であって、引用発明においても、それぞれ、１２個、４８個に分割されている。
　してみると、
引用発明においても
『受信側にとって既知の部分と未知の部分とをそれぞれ複数に分割し』に対応する処理が行われている
（ア−４）『分割された前記既知の部分の各部分データと前記未知の部分の
　　　　　各部分データとを、前記既知の部分の前記部分データが第１のデ　　　　　ータ内においてより均一に分散するように並び替える』について
　引用発明における「パイロットインターリーバ１３０」は、「データシンボル及びパリティシンボルの間にパイロットシンボルが均等に分配されるように出力行列を再配置」する処理を上記「（２）ト」で例示されているデータに対して実行し、上記「（２）ナ」や「（２）ニ」で例示されているデータを生成するものである。
　よって、「パイロットインターリーバ１３０」による処理が実行されることで生成された上記「（２）ナ」や「（２）ニ」で例示されているデータが、本件補正発明でいう『第１のデータ』に対応するものといえる。
　そして、上記「（ア−１）」で言及した様に、「パイロットシンボル」は、本件補正発明でいう『受信側にとって既知の部分』であり、上記「（ア−２）」で言及した様に、「データシンボル」及び「パリティシンボル」は、本件補正発明でいう『（受信側にとって）未知の部分』であることを踏まえると、引用発明における
「パイロットインターリーバ１３０」は、本件補正発明でいう『分割された前記既知の部分の各部分データと前記未知の部分の各部分データとを、前記既知の部分の前記部分データが第１のデータ内においてより均一に分散するように並び替える』に対応する処理を実行している
（ア−５）小活
　上記「（ア−１）」から「（ア−４）」で検討したとおり、
引用発明は、本件補正発明でいう『受信側にとって既知の部分と未知の部分とをそれぞれ複数に分割し、分割された前記既知の部分の各部分データと前記未知の部分の各部分データとを、前記既知の部分の前記部分データが第１のデータ内においてより均一に分散するように並び替える並び替え部』に対応する構成を備えている
イ　『（前記擬似乱数と前記第１のデータより擬似乱数列を生成し、前記擬
　　似乱数列を用いて、）キャリア信号を位相変調する変調部』について
　引用発明は、「位相変調」の方式のひとつである「四位相偏移変調（ＱＰＳＫ）」を用いるものであり、当該「四位相偏移変調（ＱＰＳＫ）」は、上記「（２）タ」に図示される「無線周波数（ＲＦ）変調器１５０」が、「パイロットインターリーバ１３０」から「チャネル符号器１４０」を介して出力される信号に対して実行するものである。
　また、引用発明において、「通信システム１０は、各チャネルに固有の疑似乱数チャネル（ＰＮ）コードが割り当てられた複数のチャネルが同じ無線キャリア周波数を使用できる、いわゆる符号分割多元接続（ＣＤＭＡ）であり」、前記「無線キャリア周波数」が、データを「送信機１００」から「基地局プロセッサ（ＢＳＰ）２０」に搬送するために用いられる搬送波であることは明らかである。
　一方、本件補正発明でいう『キャリア信号』は『擬似乱数列を用いて』位相変調されるものであるから、『キャリア信号』も『擬似乱数列』というデータを『信号処理装置』から『受信側』に搬送するために用いられる搬送波である。
　してみると、引用発明における「無線キャリア周波数」は、本件補正発明でいう『キャリア信号』に相当し、引用発明における
「無線周波数（ＲＦ）変調器１５０」は、本件補正発明における『キャリア信号を位相変調する変調部』に対応する
ウ　『前記変調部により位相変調された前記キャリア信号である送信信号を
　　送信する送信部』について
　引用発明において、「無線周波数（ＲＦ）変調器１５０」によって変調されたキャリア信号は、送信機１００であるＳＡＵｓ１４に接続されている「アンテナ１６」から送信されるのであるから、前記
「アンテナ１６」は、本件補正発明における「前記変調部により位相変調された前記キャリア信号である送信信号を送信する送信部」に相当する
エ　『信号処理装置』について
　引用発明である
「送信機１００」は
本件補正発明でいう『信号処理装置』といえる
　上記「（４）対比」で検討したことを踏まえると、本件補正発明と引用発明とは、
「受信側にとって既知の部分と未知の部分とをそれぞれ複数に分割し、分割された前記既知の部分の各部分データと前記未知の部分の各部分データとを、前記既知の部分の前記部分データが第１のデータ内においてより均一に分散するように並び替える並び替え部と、
前記並び替え部からの出力を用いてキャリア信号を位相変調する変調部と、
前記変調部により位相変調された前記キャリア信号である送信信号を送信する送信部と
を備える信号処理装置。」で一致し、以下の点で相違している。
［相違点１］
　本件補正発明は『擬似乱数を生成する擬似乱数生成部』を備えているのに対し、引用発明はかかる構成を備えていない点。
［相違点２］
　本件補正発明においては、『変調部』が『前記擬似乱数と前記第１のデータより擬似乱数列を生成し、前記擬似乱数列を用いて』『キャリア信号』を『位相変調』するのに対し、引用発明においては、「無線周波数（ＲＦ）変調器１５０」が「チャネル符号器１４０」から出力されるどの様な信号を用いて「無線キャリア周波数」を「四位相偏移変調（ＱＰＳＫ）」するのか明らかでない点。
（６）判断
　事案に鑑みて、［相違点１］及び［相違点２］をあわせて検討する。
　引用文献２、３に開示されているように、「コード分割多重アクセス（ＣＤＭＡ）システムの送信機において、疑似乱数を出力する疑似乱数発生器を設け、当該疑似乱数発生器から出力される疑似乱数と送信データより生成された信号を用いて高周波（ＲＦ）キャリアを変調し、無線送信する」ことは周知技術である。
　そこで、「符号分割多元通信（ＣＤＭＡ）」を実施するための具体的な構成として、引用文献２、３に開示されている周知技術を引用発明の「チャネル符号器１４０」に適用して、引用発明に疑似乱数を出力する疑似乱数発生器を設け、当該疑似乱数と送信データより生成された信号を用いて、「無線周波数（ＲＦ）変調器１５０」にて「四位相偏移変調（ＱＰＳＫ）」を行うようにして、本件補正発明とすることは、当業者であれば、容易に想到し得たものである。
　したがって、本願発明は、引用発明及び、引用文献２と引用文献３に示される周知技術に基づいて当業者が容易に発明をすることができたものであるから、特許法第２９条第２項の規定により特許を受けることができない。
３　本件補正についてのむすび 
　以上のとおり、本件補正は、特許法第１７条の２第６項において準用する同法第１２６条第７項の規定に違反するものであり、同法第１５９条第１項読み替えて準用する同法第５３条第１項の規定により却下されるべきものである。 
　よって、上記補正却下の決定の結論のとおり決定する。 
第３　本願発明について 
１　本願発明 
　本件補正は、上記のとおり却下されたので、本願の請求項に係る発明は、平成３０年８月１５日にされた手続補正により補正された特許請求の範囲の請求項１ないし２０に記載された事項により特定されるものであるところ、その請求項１に係る発明（以下、「本願発明」という。）は、その請求項１に記載された事項により特定される前記「第２」の「１（２）」に記載のとおりのものである。
２　原査定の拒絶の理由 
                                                        
　原査定の拒絶の理由１の概要は、この出願の請求項１−２，４，７−１０，１９−２０に係る発明は、本願出願前に日本国内又は外国において、頒布された又は電気通信回線を通じて公衆に利用可能となった引用文献１に記載された発明であるから、特許法第２９条第１項第３号に該当し、特許を受けることができない、というものである。
　また、理由２の概要は、この出願の請求項１−１１、１６−２０に係る発明は、本願の優先日前に頒布された又は電気通信回線を通じて公衆に利用可能となった引用文献１に記載された発明に基づいて、その出願日前にその発明の属する技術の分野における通常の知識を有する者が容易に発明をすることができたものであるから、特許法第２９条第２項の規定により特許を受けることができない、というものであり、この出願の請求項１２−１５に係る発明は、本願の優先日前に頒布された又は電気通信回線を通じて公衆に利用可能となった引用文献１に記載された発明及び、特開２００３−０８７２２２号公報に記載された技術事項に基づいて、その出願日前にその発明の属する技術の分野における通常の知識を有する者が容易に発明をすることができたものであるから，特許法第２９条第２項の規定により特許を受けることができない、というものである。
３　引用文献１について
　引用文献１に記載された発明（引用発明）は上記「第２」の「２（２）」に記載したとおりである。
４　対比・判断 
　本願発明と引用発明とを対比する。
ア　『送信データの受信側にとって既知の部分と未知の部分とをそれぞれ複
　　数に分割し、分割された前記既知の部分の各部分データと前記未知の部
　　分の各部分データとを、前記既知の部分の前記部分データが前記送信デ
　　ータ内により均一に分散するように並び替える並び替え部』について
　本願発明でいう『送信データ』は「並び替え部により並び替えられた」ものであり、一方、引用発明においても、上記「第２」の「２（４）」の「（ア−４）」で言及したように、「パイロットインターリーバ１３０」による処理が実行されることで生成された上記「（２）ナ」や「（２）ニ」で例示されているデータは、本願発明でいう『受信側にとって既知の部分』である「パイロットシンボル」が、均一に分散するよう並び替えられたものであるから、本願発明における「並び替え部により並び替えられた」『送信データ』に対応するものである。
　してみると、上記「第２」の「２（４）」の「ア」で検討したとおり、引用発明は、本願発明でいう『送信データの受信側にとって既知の部分と未知の部分とをそれぞれ複数に分割し、分割された前記既知の部分の各部分データと前記未知の部分の各部分データとを、前記既知の部分の前記部分データが前記送信データ内により均一に分散するように並び替える並び替え部』に対応する構成を備えているといえる。
イ　『前記並び替え部により並び替えられた前記送信データを用いて、キャ
　　リア信号を位相変調する変調部』について
　上記「第２」の「２（４）」の「イ」で言及したように、引用発明は、「位相変調」の方式のひとつである「四位相偏移変調（ＱＰＳＫ）」を用いるものであり、当該「四位相偏移変調（ＱＰＳＫ）」は、上記「（２）タ」に図示されているように、「無線周波数（ＲＦ）変調器１５０」が、「パイロットインターリーバ１３０」から「チャネル符号器１４０」を介して出力される信号に対して実行するものである。
　そして、上記「ア」で言及したように、「パイロットインターリーバ１３０」による処理が実行されることで生成されたデータは、本願発明における「並び替え部により並び替えられた」『記送信データ』に対応するものであるのだから、引用発明における「無線周波数（ＲＦ）変調器１５０」は、本願発明でいう『前記並び替え部により並び替えられた前記送信データを用いて、キャリア信号を位相変調する変調部』に相当する。
ウ　『前記変調部により位相変調された前記キャリア信号である送信信号を
　　送信する送信部』について
　上記「第２」の「２（４）」の「ウ」で言及したとおりである。
エ　『信号処理装置』について
　上記「第２」の「２（４）」の「エ」で言及したとおりである。
オ　上記「ア」から「エ」で検討したように、本願発明と引用発明との間に相違点は存在しない。
　したがって、本願発明は、引用文献１に記載された発明であるから、特許法第２９条第１項第３号に該当し、特許を受けることができない。
第４　むすび 
　以上のとおり、本願発明は、特許法第２９条第１項第３号の規定により特許を受けることができないから、他の請求項に係る発明について検討するまでもなく、本願は拒絶されるべきものである。 
  
　よって、結論のとおり審決する。